(57)【要約】【課題】  ログイン時間を短縮することができるとともに、初期環境の管理を容易にすることを可能にする。【解決手段】  共同利用されるディスクレスのユーザ端末４ａ〜４ｃと、該ユーザ端末を所定の初期環境で動作させるための初期環境構築ファイルを保存し管理するＰＣ初期環境管理サーバ１と、前記ユーザ端末におけるユーザ毎に異なる環境をバックアップしておく個人データバックアップサーバ２とを有し、前記ユーザ端末は、前記ＰＣ初期環境管理サーバから前記初期環境構築ファイルをメモリ上にダウンロードして実行することで初期環境を構築し、前記個人データバックアップサーバからユーザ独自の環境設定をメモリ上にダウンロードして設定する。【選択図】    図１
2005339133.tif 000002
【特許請求の範囲】
【請求項１】
共同利用されるディスクレスのユーザ端末と、該ユーザ端末を所定の初期環境で動作させるための初期環境構築ファイルを保存し管理するＰＣ初期環境管理サーバと、前記ユーザ端末におけるユーザ毎に異なる環境をバックアップしておく個人データバックアップサーバとを有し、前記ユーザ端末は、前記ＰＣ初期環境管理サーバから前記初期環境構築ファイルをメモリ上にダウンロードして実行することで初期環境を構築し、前記個人データバックアップサーバからユーザ独自の環境設定をメモリ上にダウンロードして設定することを特徴とする共同利用パソコンシステム。
【請求項２】
前記ユーザ端末は、定期的に初期環境からの差分データのチェックを行っており、差分データが発生した場合は、該差分データを暗号化し、個人データバックアップサーバにバックアップを行うことを特徴とする請求項１に記載の共同利用パソコンシステム。
【請求項３】
自装置の環境を前記初期環境構築ファイルとして前記ＰＣ初期環境管理サーバに保存する初期環境管理用マスタＰＣを有することを特徴とする請求項１または２に記載の共同利用パソコンシステム。
【請求項４】
共同利用されるディスクレスのユーザ端末と、該ユーザ端末の初期環境を作成する初期環境管理マスタＰＣと、該ユーザ端末を所定の初期環境で動作させるための初期環境構築ファイルを保存し管理するＰＣ初期環境管理サーバとを有する共同利用パソコンシステムの管理方法であって、
前記初期環境管理用マスタＰＣにより予め各ユーザ端末の共通の初期環境を初期環境構築ファイルとして作成し、ＰＣ初期環境管理サーバに保存する第１のステップと、
前記ユーザ端末が、前記ＰＣ初期環境管理サーバから前記初期環境構ファイルをメモリ上にダウンロードして実行することで初期環境を構築する第２のステップと、
を有することを特徴とする共同利用パソコンシステムの管理方法。
【発明の詳細な説明】
【技術分野】
【０００１】
本発明は、共同利用パソコンシステム及び共同利用パソコンシステムの管理方法に関し、特に、共同利用パソコンシステムを構成するユーザ端末を使用する人の独自の環境を自動的に設定することができる共同利用パソコンシステム及び共同利用パソコンシステムの管理方法に関する。
【背景技術】
【０００２】
従来、一般のオフィスやレンタルオフィスなどにおいて、複数の人が共同で利
用する共同利用パソコンが知られており、この共同利用パソコンにおいて、自分独自の環境を手軽に復元することができ、セキュリティも確保する技術もある（例えば、特許文献１参照）。
【特許文献１】特開２００２−１４０２９５号公報
【発明の開示】
【発明が解決しようとする課題】
【０００３】
しかしながら、このような従来の共同利用パソコンの環境の復元方法では、環境を管理しているサーバからダウンロードした個人の環境を復元するためのデータをハードディスクに書き込んで処理を行っていたため、パソコンにログインするのに時間がかかるという問題があった。
【０００４】
また、各共同利用パソコンのオペレーティングシステムやアプリケーションなどの共通の初期環境は、各共同利用パソコンのハードディスクなどにインストールされているため、共通の初期環境を変更する際は、全ての共同利用パソコンにおいて環境の変更を行わなければならず、手間がかかっていた。
【０００５】
そこで、本発明は、共同利用パソコンをディスクレスにし、共通の初期環境を構築するためのファイルをサーバで一括管理しておき、サーバから該ファイルをダウンロードして共通の初期環境を構築し、ログイン時の個人の環境を復元するためのデータをメモリ上にダウンロードして処理するようにして、ログイン時間を短縮することができるとともに、初期環境の管理を容易にすることができる共同利用パソコンシステム及び共同利用パソコンシステムの管理方法を提供することを目的とする。
【課題を解決するための手段】
【０００６】
上記目的を達成するために、請求項１に記載の発明は、共同利用されるディスクレスのユーザ端末と、該ユーザ端末を所定の初期環境で動作させるための初期環境構築ファイルを保存し管理するＰＣ初期環境管理サーバと、前記ユーザ端末におけるユーザ毎に異なる環境をバックアップしておく個人データバックアップサーバとを有し、前記ユーザ端末は、前記ＰＣ初期環境管理サーバから前記初期環境構築ファイルをメモリ上にダウンロードして実行することで初期環境を構築し、前記個人データバックアップサーバからユーザ独自の環境設定をメモリ上にダウンロードして設定することを特徴とする。
【０００７】
請求項１に記載の発明では、初期環境を構築するための初期環境構築ファイルが一括管理され、ユーザ端末において、この初期環境構築ファイルがメモリ上にダウンロードされて初期環境が構築され、ユーザ独自の環境設定もメモリ上にダウンロードされて設定される。したがって、初期環境の変更が一括して行え、ログイン時間が短縮される。
【０００８】
また、請求項２に記載の発明は、上記請求項１に記載の発明の構成に加え、前記ユーザ端末は、定期的に初期環境からの差分データのチェックを行っており、差分データが発生した場合は、該差分データを暗号化し、個人データバックアップサーバにバックアップを行うことを特徴とする。
【０００９】
また、請求項２に記載の発明では、自動的に差分データがサーバにバックアップされる。したがって、ユーザ独自の環境設定が随時バックアップされて保存される。
【００１０】
また、請求項３に記載の発明は、上記請求項１または請求項２に記載の発明の構成に加え、自装置の環境を前記初期環境構築ファイルとして前記ＰＣ初期環境管理サーバに保存する初期環境管理用マスタＰＣを有することを特徴とする。
【００１１】
請求項３に記載の発明では、初期環境管理用マスタＰＣで構築した環境が初期環境構築ファイルとして保存される。したがって、実際にパソコンに設定した環境から初期環境構築ファイルが作成される。
【００１２】
また、請求項４に記載の発明は、共同利用されるディスクレスのユーザ端末と、該ユーザ端末の初期環境を作成する初期環境管理マスタＰＣと、該ユーザ端末を所定の初期環境で動作させるための初期環境構築ファイルを保存し管理するＰＣ初期環境管理サーバと、前記ユーザ端末におけるユーザ毎に異なる環境をバックアップしておく個人データバックアップサーバとを有する共同利用パソコンシステムの管理方法であって、前記初期環境管理用マスタＰＣにより予め各ユーザ端末の共通の初期環境を初期環境構築ファイルとして作成し、ＰＣ初期環境管理サーバに保存する第１のステップと、前記ユーザ端末が、前記ＰＣ初期環境管理サーバから前記初期環境構ファイルをメモリ上にダウンロードして実行することで初期環境を構築する第２のステップとを有することを特徴とする。
【００１３】
また、請求項４に記載の発明では、初期環境を構築するための初期環境構築ファイルが一括管理され、ユーザ端末において、この初期環境構築ファイルがメモリ上にダウンロードされて初期環境が構築される。したがって、初期環境の変更が一括して行え、ログイン時間が短縮される。
【００１４】
さらに、初期環境管理用マスタＰＣで構築した環境が初期環境構築ファイルとして保存される。したがって、実際にパソコンに設定した環境から初期環境構築ファイルが作成される。
【発明の効果】
【００１５】
以上説明したように、本発明によれば、ユーザ端末をディスクレスとし、ユーザ独自の環境設定をメモリ上にダウンロードして設定するので、ログイン時間を短縮することができる。
また、ＰＣ初期環境管理サーバでユーザ端末を所定の初期環境で動作させるための初期環境構築ファイルを保存・管理し、ユーザ端末が、この初期環境構築ファイルにより初期環境を構築しているので、ユーザ端末の初期環境の変更を容易に行うことができる。
【発明を実施するための最良の形態】
【００１６】
以下、本発明の実施形態を、図面を参照して詳細に説明する。
図１〜図６は本発明の一実施形態の共同利用パソコンシステムを示す図である
【００１７】
図１において、本発明の実施形態に係る共同利用パソコンシステムは、パソコン（ＰＣ）の初期環境（各パソコンで共通の環境）を管理するＰＣ初期環境管理サーバ１と、パソコンの各個人毎に異なる環境をバックアップしておく個人データバックアップサーバ２と、ＰＣ初期環境管理サーバ１で管理しているパソコンの初期環境を作成・管理する初期環境管理用マスタＰＣ３と、共同利用されるディスクレスのユーザ端末４（４ａ〜４ｃ）とを備えており、それぞれネットワーク１０に接続され、ネットワーク１０を介して通信可能となっている。なお、ユーザ端末４とＰＣ初期環境管理サーバ１及び個人データバックアップサーバ２との間は、iＳＣＳI（Internet Small Computer System Interface）などによりネットワーク１０を介して接続するようにしてもよい。
【００１８】
上記構成からなる共同利用パソコンシステムにおいて、初期環境管理用マスタＰＣ３において、初期環境の設定を行う。
具体的には、図２に示すように、初期環境管理用マスタＰＣ３において、オペレーティングシステムのインストールの設定や、アプリケーションのインストールなどを行い、共同利用パソコン（ユーザ端末４）に共通の初期環境を作成する（Ｓ１１）。
【００１９】
そして、作成したブートディスクイメージやＰＣ初期環境イメージを、ネットワーク１０を介してＰＣ初期環境管理サーバ１にバックアップする（Ｓ１２）。
その後、、図３に示すようにユーザ端末４ａの起動ボタンが押下され（Ｓ１３）、ユーザ端末４ａが起動されると、ユーザ端末４ａは、ネットワーク１０を介してＰＣ初期環境管理サーバ１に、まず、ブートディスクイメージを要求する。
【００２０】
ＰＣ初期環境管理サーバ１は、ユーザ端末４ａからの要求により、ネットワーク１０を介してブートディスクイメージをユーザ端末４ａに送信する。
ユーザ端末４ａは、ブートディスクイメージを受信すると、メモリ上にダウンロードし、該ブートディスクイメージにより起動処理を行い、オペレーティングシステムを立ち上げる（Ｓ１４）。
【００２１】
オペレーティングシステム立ち上げの際に必要な環境設定については、適宜ＰＣ初期環境管理サーバ１のＰＣ初期環境イメージファイルからダウンロードして設定する（Ｓ１５）。
このようにして、ユーザ端末４は起動され、初期環境が設定され、各ユーザ端末４ａ〜４ｃが共通の環境で起動される。
【００２２】
そして、図４に示すように、ユーザ端末４ａにおいて、付属のＩＣカードリーダなどにＩＣカードが挿入されると（Ｓ１６）、ユーザ端末４ａは、ユーザの操作の開始要求であると判断し、ユーザの認証を行うためパスワードの入力を要求する。
ユーザが、ユーザ端末４ａ付属のキーボードなどにより、パスワードを入力すると（Ｓ１７）、ユーザ端末４ａは、ＩＣカードから読み取ったユーザの識別情報と入力されたパスワードとをネットワーク１０を介してセキュアな通信により個人データバックアップサーバ２に送信する（Ｓ１８）。
【００２３】
個入データバックアップサーバ２は、ユーザ端末４ａからセキュアな通信によりユーザの識別情報とパスワードを受信すると、受信したユーザの識別情報とパスワードが、登録されているユーザの識別情報とパスワードと一致するかによりユーザの認証を行い、一致しなければ、ユーザ端末４ａに認証異常を返送する。
【００２４】
受信したユーザの識別情報とパスワードが、登録されているユーザの識別情報とパスワードと一致すれば、個人データバックアップサーバ２は、ユーザ個別の、ユーザ端末４ａの初期環境からの差分データをユーザ端末４ａにネットワーク１０を介して送信する（Ｓ１９）。なお、この差分データは暗号化されて送受信及び保存されている。
【００２５】
ユーザ端末４ａは、個人データバックアップサーバ２から、差分データを受信すると、受信した差分データを復号化し、復号化した差分データに基づいて、ユーザ個人用の環境を設定し、処理を開始する。
そして、ユーザがユーザ端末４ａ使用中には、図５に示すように、ユーザ端末４ａは、定期的に環境設定の変更や、ファイルの変更などの初期環境からのユーザ個別の差分データのチェックを行っており（Ｓ２０）、差分データが発生した場合は、該差分データを暗号化し（Ｓ２１）、個人データバックアップサーバ２にバックアップを行う（Ｓ２２）。
【００２６】
そして、ユーザがユーザ端末４ａの使用を終了し、ログアウトすると、ユーザ端末４ａは、図６に示すように、今回の使用で発生した差分データを暗号化して個人データバックアップサーバ２にバックアップを行い（Ｓ２３）、図３で示した起動処理を行い、再び共通の初期環境で起動する（Ｓ２４）。
【００２７】
このように本実施形態においては、ユーザ端末４をディスクレスとし、ユーザ個別の環境の設定をメモリ上にダウンロードして実行するので、ユーザのログイン時間を短縮することができる。
【００２８】
また、ＰＣ初期環境管理サーバ１で、各ユーザ端末４の初期環境を管理し、各ユーザ端末４は、ＰＣ初期環境管理サーバ１から初期環境をダウンロードして初期環境を整えるので、ユーザ端末４の共通環境を変更するときは、初期環境管理
用マスタＰＣ３によりＰＣ初期環境管理サーバ１に保存されている初期環境を変更するだけで、全てのユーザ端末４の初期環境を変更することができる。
【００２９】
また、ユーザ端末４が、定期的に環境設定の変更や、ファイルの変更などの初期環境からのユーザ個別の差分データのチェックを行い、差分データが発生した場合は個人データバックアップサーバ２にバックアップを行っているので、ユーザ個別の環境を失うことなく確実にバックアップすることができる。
【００３０】
また、初期環境管理用マスタＰＣ３にインストールしたオペレーティングシステムやアプリケーションやそれらの設定などの環境設定を、ユーザ端末４に共通の初期環境を構築するブートディスクイメージやＰＣ初期環境イメージとしてＰＣ初期環境管理サーバ１に保存するので、ブートディスクイメージやＰＣ初期環境イメージを容易に作成することができる。
【図面の簡単な説明】
【００３１】
【図１】本発明の実施形態に係る共同利用パソコンシステムの構成を示すブロック図。
【図２】図１に示した共同利用パソコンシステムにおける初期環境の設定処理を示す説明図。
【図３】図１に示した共同利用パソコンシステムにおけるユーザ端末の起動処理を示す説明図。
【図４】図１に示した共同利用パソコンシステムにおけるユーザ端末をユーザが利用開始する時の処理を示す説明図。
【図５】図１に示した共同利用パソコンシステムにおけるユーザ端末をユーザが使用中の処理を示す説明図。
【図６】図１に示した共同利用パソコンシステムにおけるユーザ端末をユーザが利用終了したときの処理を示す説明図。
【符号の説明】
【００３２】
１…ＰＣ初期環境管理サーバ
２…個人データバックアップサーバ
３…初期環境管理用マスタＰＣ
４、４ａ〜４ｃ…ユーザ端末
１０…ネットワーク
【図１】
2005339133.tif 000003
【図２】
2005339133.tif 000004
【図３】
2005339133.tif 000005
【図４】
2005339133.tif 000006
【図５】
2005339133.tif 000007
【図６】
2005339133.tif 000008